(57)【特許請求の範囲】
【請求項１】
三角形に配列した立体巻鉄心を上部クランプおよび下部クランプの間に固定することと、立体巻鉄心にＡ、Ｂ、Ｃの三相コイルを巻き付けることとを含み、上部クランプに高圧リード線の支持フレームを設置し、当該高圧リード線の支持フレームにＡ、Ｂ、Ｃの三相コイルとそれぞれ対応する配線端子を設け、各相コイルにそれぞれ引込線端部および引出線端部を設ける立体巻鉄心の開放型乾式変圧器における高圧リード線の形成方法であって、
Ａ相コイルを巻き付けた後、その引出線端部をＡ相配線端子に接続し、Ａ相引出線端部で引出線を引き出し、ある角度分多く巻いてＡ相第２引出線端部を構成し、
Ｂ相コイルを巻き付けた後、その引出線端部をＢ相配線端子に接続し、Ｂ相引出線端部で引出線を引き出し、ある角度分多く巻いてＢ相第２引出線端部を構成し、
Ｃ相コイルを巻き付けた後、その引出線端部をＣ相配線端子に接続し、Ｃ相引出線端部で引出線を引き出し、ある角度分多く巻いてＣ相第２引出線端部を構成し、
前記Ａ相第２引出線端部を前記Ｃ相引込線端部に近づけてこれと接続し、前記Ｂ相第２引出線端部を前記Ａ相引込線端部に近づけてこれと接続し、前記Ｃ相第２引出線端部を前記Ｂ相引込線端部に近づけてこれと接続することを特徴とする高圧リード線の形成方法。
【請求項２】
前記Ａ相引出線端部で引き出した引出線を多く巻く角度の範囲が、１４５°〜１５５°であることを特徴とする、請求項１に記載の立体巻鉄心の開放型乾式変圧器における高圧リード線の形成方法。
【請求項３】
前記Ｂ相引出線端部で引き出した引出線を多く巻く角度の範囲が、５５°〜６５°であることを特徴とする、請求項２に記載の立体巻鉄心の開放型乾式変圧器における高圧リード線の形成方法。
【請求項４】
前記Ｃ相引出線端部で引き出した引出線を多く巻く角度の範囲が、５°〜１５°であることを特徴とする、請求項３に記載の立体巻鉄心の開放型乾式変圧器における高圧リード線の形成方法。
【発明の詳細な説明】
【技術分野】
【０００１】
本発明は変圧器コイルのリード線技術に関し、特に立体巻鉄心の開放型乾式変圧器における高圧リード線の形成方法である。
【背景技術】
【０００２】
既存の立体巻鉄心の開放型乾式変圧器における高圧リード線は、クランプの一側まで引き、ユーザの配線を便利にする必要がある。しかし、三相コイルは三角形に配列し、引出線は同一平面に存在せず、リード線が比較的複雑になる。リード線の間に必要な絶縁距離によって、変圧器の全体の外形サイズが増大し、リード線は屈曲が比較的多く、固定しにくい。
【発明の概要】
【発明が解決しようとする課題】
【０００３】
上記技術的問題を解決するため、本発明で提供する立体巻鉄心の開放型乾式変圧器における高圧リード線の形成方法は、高圧コイルが様々な面で相応する引出線端部を引き出し、リード線の構造はより簡潔になり、接続しやすく、構造が美しい。
【課題を解決するための手段】
【０００４】
上記目的を実現するため、本発明で採用する技術案は次の通りである。
【０００５】
立体巻鉄心の開放型乾式変圧器における高圧リード線の形成方法は、三角形に配列した立体巻鉄心を上部クランプおよび下部クランプの間に固定することと、立体巻鉄心にＡ、Ｂ、Ｃの三相コイルを巻き付けることとを含み、上部クランプに高圧リード線の支持フレームを設置する。当該高圧リード線の支持フレームにＡ、Ｂ、Ｃの三相コイルとそれぞれ対応する配線端子を設け、各相コイルにそれぞれ引込線端部および引出線端部を設ける。
【０００６】
Ａ相コイルを巻き付けた後、その引出線端部をＡ相配線端子に接続し、Ａ相引出線端部で引出線を引き出し、ある角度分多く巻いてＡ相第２引出線端部を構成する。
【０００７】
Ｂ相コイルを巻き付けた後、その引出線端部をＢ相配線端子に接続し、Ｂ相引出線端部で引出線を引き出し、ある角度分多く巻いてＢ相第２引出線端部を構成する。
【０００８】
Ｃ相コイルを巻き付けた後、その引出線端部をＣ相配線端子に接続し、Ｃ相引出線端部で引出線を引き出し、ある角度分多く巻いてＣ相第２引出線端部を構成する。
【０００９】
Ａ相第２引出線端部をＣ相引込線端部に近づけてこれと接続し、Ｂ相第２引出線端部をＡ相引込線端部に近づけてこれと接続し、Ｃ相第２引出線端部をＢ相引込線端部に近づけてこれと接続する。
【００１０】
上記高圧リード線の形成方法を採用すると、Ａ、Ｂ、Ｃの三相コイルはいずれも２つの引出線端部を引き出す。各相コイルにもともとある引出線端部の位置は変わらず、配線端子と接続するのに便利である。それぞれの相コイルの巻数はそのまま同じであり、このようにコイルの巻数が変わらない状況において、増加した引出線端部により、リード線がより便利になり、リード線の構造もより簡潔になる。
【００１１】
好ましくは、上記Ａ相引出線端部で引き出した引出線を多く巻く角度の範囲は、１４５°〜１５５°である。
【００１２】
好ましくは、上記Ｂ相引出線端部で引き出した引出線を多く巻く角度の範囲は、５５°〜６５°である。
【００１３】
好ましくは、上記Ｃ相引出線端部で引き出した引出線を多く巻く角度の範囲は、５°〜１５°である。
【発明の効果】
【００１４】
本発明の有益な効果は次の通りである。上記高圧リード線の形成方法を採用すると、三角形構造の立体巻鉄心コイルの引出線端部を巧みに設けて引込線端部と接続させることができ、各相コイル間のリード線の接続距離を縮め、リード線の配置を簡略化し、材料を減少させる。さらに構造が簡潔であり、立体巻鉄心の開放型乾式変圧器のリード線が複雑である問題を解決した。
【００１５】
以下に、添付図を組み合わせて、本発明の具体的な実施方式についてさらなる説明を行う。
【図面の簡単な説明】
【００１６】
【図１】図１は、本発明における三相コイルの構造概要図である。
【図２】図２は、本発明における三相コイルを接続する原理概要図である。
【発明を実施するための形態】
【実施例１】
【００１７】
本発明で提供する立体巻鉄心の開放型乾式変圧器における高圧リード線の形成方法は、まず三角形に配列した立体巻鉄心を上部クランプおよび下部クランプの間に固定し、立体巻鉄心にＡ、Ｂ、Ｃの三相コイルを巻き付け、上部クランプに高圧リード線の支持フレームを設置する。当該高圧リード線の支持フレームに、Ａ、Ｂ、Ｃの三相コイルとそれぞれ対応する配線端子を設ける。それぞれＡ相配線端子、Ｂ相配線端子およびＣ相配線端子であり、各相コイルからそれぞれ引込線端部および引出線端部を引き出す。
【００１８】
図１および図２を参照されたい。本実施例において、Ａ相コイル１が対応するＡ相引込線端部１１、Ａ相引出線端部１２およびＡ相第２引出線端部１３は、それぞれ添付図のＸ、ＡおよびＡ’部分であり、Ｂ相コイル２が対応するＢ相引込線端部２１、Ｂ相引出線端部２２およびＢ相第２引出線端部２３は、それぞれ添付図のＹ、ＢおよびＢ’部分であり、Ｃ相コイル３が対応するＣ相引込線端部３１、Ｃ相引出線端部３２およびＣ相第２引出線端部３３は、それぞれ添付図のＺ、ＣおよびＣ’部分である。Ａ相コイル１を巻き付けた後、その引出線端部１２をＡ相配線端子に接続し、Ａ相引出線端部１２で、引出線を引き出して１５０°多く巻き、Ａ相第２引出線端部１３を構成する。すなわちＡ’部分であり、当該Ａ相第２引出線端部１３をＣ相引込線端部３１に近づけてこれと接続する。Ｂ相コイル２を巻き付けた後、その引出線端部２２をＢ相配線端子に接続し、Ｂ相引出線端部２２で引出線を引き出して６０°多く巻き、Ｂ相第２引出線端部２３を構成する。すなわちＢ’部分であり、当該Ｂ相第２引出線端部２３をＡ相引込線端部１１に近づけてこれと接続する。Ｃ相コイル３を巻き付けた後、その引出線端部３２をＣ相配線端子に接続し、Ｃ相引出線端部３２で引出線を引き出して１０°多く巻き、Ｃ相第２引出線端部３３を構成する。すなわちＣ’部分であり、当該Ｃ相第２引出線端部をＢ相引込線端部２１に近づけてこれと接続する。リード線の構造はすなわちＡ’がＺと接続し、Ｂ’がＸと接続し、Ｃ’がＹと接続し、リード線の配置が簡略化される。接続の原理図は図２示す通りである。
【００１９】
上記高圧リード線の形成方法を採用すると、Ａ、Ｂ、Ｃの三相コイルはいずれも２つの引出線端部を引き出し、それぞれのコイルの巻数はそのまま同じである。このように、コイルの巻数が変わらない状況において、増加した引出線端部により、リード線はより便利になり、リード線の構造もより簡潔になる。
【００２０】
以上の記載は、本発明の好ましい実施例に過ぎず、本発明は上記実施方式の構造に限定されない。同様の手段で本発明の技術的効果に達すれば、いずれも本発明の保護範囲に属するべきである。
【符号の説明】
【００２１】
１：Ａ相コイル
１１：Ａ相引込線端部
１２：Ａ相引出線端部
１３：Ａ相第２引出線端部
２：Ｂ相コイル
２１：Ｂ相引込線端部
２２：Ｂ相引出線端部
２３：Ｂ相第２引出線端部
３：Ｃ相コイル
３１：Ｃ相引込線端部
３２：Ｃ相引出線端部
３３：Ｃ相第２引出線端部
【図１】
0006013433.tif 000002
【図２】
0006013433.tif 000003